(57)【要約】【課題】比較的時間を要することなく、簡易な構成で光ディスクに画像を形成する。【解決手段】光ディスク装置１００は、回転する光ディスク２００の記録面に、光ピックアップ１２０によるレーザ光を照射してデータの記録または再生をする。この光ディスク装置１００は、光ディスク２００において記録面とは反対側のレーベル面に設けられた感熱層に、形成すべき画像の濃度を規定する画像データで変調した略平行光を照射する照射ユニット１７０と、この照射ユニット１７０を、光ディスク２００の半径方向に移動させるステッピングモータ１７８と、照射ユニット１７０による略平行光の強度を、当該照射点での線速度に対し略一定となるように制御するパワー制御回路１６４とをさらに備える。【選択図】      図１
2005050409.tif 000002
【特許請求の範囲】
【請求項１】
回転させた光ディスクの記録面に、光ピックアップによるレーザ光を照射してデータの記録または再生をする光ディスク装置であって、
記録面とは反対側のレーベル面に設けられた感熱層に、形成すべき画像の濃度を規定する画像データで変調した略平行光を照射する照射手段と、
前記照射手段を、前記光ディスクの半径方向に移動させる移動手段と
を具備することを特徴とする光ディスク装置。
【請求項２】
前記照射手段による略平行光の強度を、当該照射点での線速度に対し略一定となるように制御する強度制御手段
を備えることを特徴とする請求項１に記載の光ディスク装置。
【発明の詳細な説明】
【０００１】
【発明の属する技術分野】
本発明は、例えば光ディスクのレーベル面に画像を形成する光ディスク装置に関する。
【０００２】
【従来の技術】
ＣＤ−Ｒや、ＤＶＤ−Ｒなどの光ディスクが広く普及しているが、その記録面に記録されたデータの内容は、肉眼では判別できない。そこで、データが記録された光ディスクをその外観から容易に識別するために、ラベルプリンタによってレーベル面に画像を形成する構成が考えられた。この構成では、ラベルプリンタが別途必要となるだけでなく、光ディスクを光ディスク装置からラベルプリンタに入れ替える手間がかかって煩雑となる。このため、光ディスク装置それ自体に、印字ヘッド等を設けて、レーベル面に画像を形成する技術が提案されている（例えば、特許文献１および２参照）。
【０００３】
【特許文献１】
特開平９−２６５７６０号公報
【特許文献２】
特開平７−２３４６３５号公報
【０００４】
【発明が解決しようとする課題】
しかしながら、印字ヘッド等を設ける構成では、装置の複雑化を招いて、コストアップにつながってしまう。また、光ディスクに画像を形成するのに要する時間が長期化してしまうと、付加価値としての魅力もなくなってしまう。
本発明は、このような事情に鑑みてなされたものであり、その目的とするところは、装置のコストアップを防止するとともに、比較的時間を要することなく光ディスクに画像を形成することが可能な光ディスク装置を提供することにある。
【０００５】
【課題を解決するための手段】
上記目的を達成するために、本発明に係る光ディスク装置は、回転させた光ディスクの記録面に、光ピックアップによるレーザ光を照射してデータの記録または再生をする光ディスク装置であって、記録面とは反対側のレーベル面に設けられた感熱層に、形成すべき画像の濃度を規定する画像データで変調した略平行光を照射する照射手段と、前記照射手段を、前記光ディスクの半径方向に移動させる移動手段とを具備することを特徴とする。この構成によれば、レーベル面側に設けられた照射手段によって、光ディスクを裏返しすることなく、データ記録または再生と同時に画像形成することができる。さらに、略平行光が感熱層に照射されるので、スポット径を一定とさせるためのフォーカス制御が不要となる。光ピックアップと照射手段とは、光ディスクの半径方向に連動して移動しても良いし、独立して移動しても良い。いずれにおいても、照射手段による照射光については、当該照射点での線速度に対して単位面積当たりの熱量が略一定となるように制御する制御手段を備えるのが好ましい。
【０００６】
【発明の実施の形態】
以下、本発明の実施形態について図面を参照して説明する。図１は、実施形態に係る光ディスク装置１００の構成を示すブロック図である。この光ディスク装置１００は、光ディスク２００の記録面にデータを追記可能とするとともに、レーベル面に画像を追加形成可能とするものである。
図１において、主制御部１１０は、各部を制御したり、各種のクロック信号を出力したりするものである。また、主制御部１１０は、その内部に周波数逓倍器や行カウンタ、列カウンタ（いずれも図示省略）を有する。データ記録または画像形成の対象となる光ディスク２００は、その記録面が光ピックアップ１２０に対向するようにセットされるとともに、スピンドルモータ１２２によって回転させられる。回転検出器１２４は、スピンドルモータ１２２が１回転する期間に例えば８個のパルス信号を等間隔にて生成し、当該パルス信号を、光ディスク２００の回転速度を示す検出信号ＦＧとして出力する。スピンドル制御回路１２６は、検出信号ＦＧで示される回転速度が主制御部１１０から指示された目標値に一致するように、スピンドルモータ１２２の回転をフィードバック制御する。なお、この光ディスク装置１００は、角速度一定のＣＡＶ（Ｃｏｎｓｔａｎｔ  Ａｎｇｕｌａｒ  Ｖｅｌｏｃｉｔｙ）方式で、データ記録および画像形成をするものとする。
【０００７】
ここで、説明の便宜上、光ディスク装置１００にセットされる光ディスク２００について説明する。図２は、光ディスク２００の部分断面図である。この図に示されるように、光ディスク２００は、記録面からみて、保護基板層２０１、記録層２０２、反射層２０３、保護層２０４、感熱層２０５および保護層２０６に大別される。このうち、感熱層２０５は、一定以上の強度を有する光が照射されると、熱によって変色する層であり、その表面は保護層２０６によって覆われている。光ディスク２００の基材である保護基板層２０１の片面（図において上面）には、グルーブ（案内溝）２０２Ｇが、図３に示されるように、記憶面から見たとき、内周から外周に向かって時計回りで渦巻き状に形成されている。そして、保護基板層２０１におけるグルーブ２０２Ｇの形成面に記録層２０２が積層されている。このため、記録層２０２の断面形状も、グルーブ２０２Ｇの形状が反映されて凹凸状となっている。なお、グルーブ２０２Ｇは、細かくみると全周にわたって蛇行して形成されており、その蛇行状態からアドレス情報（時間情報）が読み取られる構成となっている。
【０００８】
説明を再び図１に戻す。光ピックアップ１２０は、詳細については特に図示しないが、主に、駆動電流Ｌ１に応じた強度（単位面積当たりの熱量）のレーザ光を発振する半導体レーザと、当該レーザ光によるビームＥを記録層２０２に集光させる対物レンズと、当該対物レンズを光ディスク２００に対し接近または離反させる方向に操作するフォーカスアクチュエータと、ビームＥの集光点がグルーブ２０２Ｇをトレースするように対物レンズを操作するトラッキングアクチュエータと、反射層２０３によって反射した戻り光の強度を検出する受光素子とを一体化したものである。光ピックアップ１２０は、ステッピングモータ１２８の回転軸に螺合し、ステッピングモータ１２８の回転は、主制御部１１０によって制御される。このため、光ピックアップ１２０は、主制御部１１０によって光ディスク２００の径方向に送り制御される。また、受光素子によって検出された戻り光の強度を示す検出信号ＲＦは、デコーダ１３２、パワー指示回路１３４およびピックアップ制御回路１３６にそれぞれ供給される。
【０００９】
一方、インターフェイス（Ｉ／Ｆ）１３８は、図示しないホストコンピュータとの接続を図るものであり、当該ホストコンピュータから、データ記録用の記録記録データと、画像形成用の画像データとを、それぞれ入力する。バッファ１４０には、主制御部１１０による制御の下、入力された記録データが一時的に格納される一方、当該記録データが、アドレス情報により示される時間をさらに細分化した信号ｘＡＴに同期して読み出される。本実施形態では、光ディスク２００は角速度一定で回転するので、ビームＥの半径位置によって線速度が異なるが、当該記録データは信号ｘＡＴで同期して読み出され、アドレス情報は線速度に対して一定なので、記録データの読み出し量は一定の関係を保つことになる。
書込信号作成器１４２は、バッファ１４０から読み出された記録データを、ＥＦＭ（Ｅｉｇｈｔ  ｔｏ  Ｆｏｕｒｔｅｅｎ  Ｍｏｄｕｌａｔｉｏｎ）変調して、ブロック符号化するとともに、ブロック符号化したＥＦＭデータをレーザドライバ１３０に供給して、レーザ光の照射レベルを指定する。詳細には、書込信号作成器１４２は、読み出された記録データを、アドレス情報により示される時間経過に同期した信号ＡＴの１周期を１フレームとしてブロック符号化して、ＥＦＭ変調を行うとともに、そのＥＦＭデータの構成ビットを時系列に配列させたときのＮＲＺ（Ｎｏｎ  Ｒｅｔｕｒｎ  Ｚｅｒｏ）信号が例えばＨレベルであれば、レーザ光をライトレベルで照射させることを指示する一方、Ｌレベルであれば、レーザ光をサーボレベルで照射させることを指示する。ここで、ライトレベルとは、そのレベルのレーザ光を記録層２０２に照射したときに、当該記録層２０２が熱変色してピットが形成されるのに十分なレベルをいう。一方、サーボレベルとは、そのレベルのレーザ光を光ディスク２００の記録層２０２に照射しても、記録層２０２が変色しない程度のレベルをいい、フォーカス制御やトラッキング制御を実行する場合に用いられる。なお、書込信号作成器１４２は、記録層２０２の昇温が追いつかない現象や余熱による間延び現象などによってピット形状が変形するのを防止するために、ＮＲＺ信号を時間軸方向に補正（ストラテジ）する場合もある。
【００１０】
レーザドライバ１３０は、書込信号作成器１４２で指定された照射レベルに相当し、かつ、パワー指示回路１３４から供給された誤差信号がゼロとなるような駆動電流Ｌ１を生成して、光ピックアップ１２０の半導体レーザに供給する。パワー指示回路１３４は、検出信号ＲＦで示される戻り光の強度と主制御部１１０から供給された目標強度との誤差を算出して、当該誤差信号をレーザドライバ１３０に供給する。なお、レーザ光の目標強度は、記録実験等により最適値が予め求められている。また、ＣＡＶ方式である場合、光ディスク２００の外側に向かうにつれて線速度が速くなるので、主制御部１１０は、ビームＥの照射点が外側に向かうにつれて、ライトレベルの目標強度を高くするように補正する。したがって、光ディスク２００に照射されるレーザ光の強度は、照射点における線速度に対して単位面積当たりの熱量が略一定となるように適切に制御される構成となっている。
【００１１】
ピックアップ制御回路１３６は、検出信号ＲＦから公知の技術を用いて、フォーカスエラー信号およびトラッキングエラー信号をそれぞれ生成するとともに、フォーカスエラー信号がゼロとなる方向にフォーカスアクチュエータを駆動し、トラッキングエラー信号がゼロとなる方向にトラッキングアクチュエータを駆動する。これにより、ビームＥが記録層２０２に焦点を結ぶようにフォーカス制御され、また、ビームＥの集光点がグルーブ２０２Ｇをトレースするようにトラッキング制御される。また、ピックアップ制御回路１３６は、データ記録時に、検出信号ＲＦからグルーブ２０２Ｇの蛇行状態を読み取るとともに当該蛇行状態からアドレス情報を取得して主制御部１１０に供給する。なお、デコーダ１３２は、データの再生時において、書込信号作成器１４２とは逆の処理手順を踏むことによって、すなわち、検出信号ＲＦをＥＦＭ復調することによって、再生データを得る。
【００１２】
一方、照射ユニット１７０は、光ディスク２００の感熱層２０５を熱変色させて画像を形成するためのものであり、詳細については特に図示はしないが、駆動電流Ｌ２に比例した強度のレーザ光を発振する半導体レーザと、当該レーザ光を略平行化させたビームＦを感熱層２０５に照射する光学系とを備える。この平行光化されたビームＦの直径は、本実施形態では例えば１００μｍとなるように設計されることが望ましい。実際には、完全な平行光を作り出すのは困難であるので、ビームＦの直径は、５０〜２００μｍであれば良いが、画質を考えると、８０〜１２０μｍが好ましい。
平行化されたビームＦが照射されると、光ディスク２００が波打って回転してもビームＦにより照射された径は一定である。このため、照射ユニット１７０は、フォーカス制御のためのフォーカスアクチュエータなどが不要となるため、光ピックアップ１２０と比較して簡素化された構成となる。なお、フォーカスアクチュエータを設けて、フォーカスを制御する構成であっても良い。
この照射ユニット１７０は、ステッピングモータ１７８の回転軸に螺合し、当該ステッピングモータ１７８の回転は、主制御部１１０によって制御される。このため、照射ユニット１７０についても、光ピックアップ１２０と同様に、主制御部１１０によって光ディスク２００の径方向に送り制御される。
【００１３】
バッファ１６０には、主制御部１１０による制御の下、ホストコンピュータから供給され、形成すべき画像の濃度をドット毎に規定する画像データが一時的に格納される一方、当該画像データが光ディスク２００の回転に同期して１ドット分ずつ順次読み出される。光ディスク２００に画像を形成する場合、画像のドットは、図４に示されるように、光ディスク２００の中心からの半径距離（ｒ）と基準線から反時計回り方向になす角度（θ）とで表される極座標で規定される。ここで、基準線とは、極座標において角度（θ）の基準となるべき線であり、図３に示されるように、光ディスク２００の中心からグルーブ２０２Ｇに記録されたアドレス情報の原点（００：００：００）を通過するように延長された仮想的直線である。なお、画像データは、光ディスク装置１００への供給前にあっては、例えばビットマップ形式のように直交座標で規定されるので、ホストコンピュータは、直交座標で規定された画像データを極座標に変換して光ディスク装置１００に供給する。また、図４においてドット列数ｎは、次に説明するように一定値であるが、ドット行数ｍは、形成すべき画像のサイズ等によって変動する。
【００１４】
ここで、例えば１行分のドット列数ｎを「３６０００」として、ドット１列分の回転角度を０．０１度としたときに、光ディスク２００の回転速度を示す検出信号ＦＧの逓倍率を４５００倍に設定すると、その逓倍信号ｘＦＧの１周期は、光ディスク２００が０．０１度（＝３６０／８／４５００）だけ回転する期間に相当することになる。そこで、主制御部１１０は、図５に示されるように、光ディスク２００の回転時に基準線が通過したときに、列カウンタのカウント結果を「１」にセットするとともに、列カウンタのカウント結果を逓倍信号ｘＦＧのパルスでアップカウントし、そのカウント結果が「３６０００」に達したときに当該カウント結果を「１」に再セットする一方、行カウンタのカウント結果を「１」だけインクリメントする構成とする。また、主制御部１１０は、ビームＦが後述する画像形成の開始半径位置に移動したときに、行カウンタのカウント結果を「１」にセットする。このカウンタ構成によって、列カウンタのカウント結果は、ビームＦの照射点が極座標において何列目に位置しているのかを示し、行カウンタのカウント結果は、画像形成の開始半径位置を１行目としたときに、ビームＦの照射点が極座標において何行目に位置しているのかを示すことになる。
なお、本実施形態では、上述したように、ビームＦの直径を１００μｍとしていることとの関係上、図４における１行分の間隔も１００μｍとする。
【００１５】
描画信号作成器１６２は、バッファ１６０から読み出された画像データを用いて、照射ユニット１７０における半導体レーザのオン／オフ（点灯／非点灯）を指示する信号Ｄｐを、次のように生成する。すなわち、描画信号作成器１６２は、図５に示されるように、光ディスク２００が極座標の１列分（１ドット分）だけ回転する期間Ｔのうち、画像データで指定された濃度が高くなるにつれて、そのＨレベルとなる期間が長くなるようにパルス幅変調した信号Ｄｐを生成する。このため、描画信号作成器１６２は、１ドット分だけ回転する期間を知るために、主制御部１１０から逓倍信号ｘＦＧの供給を受ける。
パワー制御回路１６４は、照射ユニット１７０における半導体レーザに対し、次のような駆動電流Ｌ２を供給する。すなわち、パワー制御回路１６４は、信号ＤｐがＬレベルである場合には、駆動電流Ｌ２をゼロにする一方、信号ＤｐがＨレベルである場合には、感熱層２０５を変色させるのに十分な照射強度となるような駆動電流Ｌ２を、光ディスク２００に対するビームＦの照射点を考慮して供給する。なお、ここでいう考慮とは、ビームＦの照射点が光ディスク２００の外周側に位置するほど、駆動電流Ｌ２を大きくすることをいう。上述したように、ＣＡＶ方式である場合、光ディスク２００の外周に向かうにつれて、線速度が高くなるからである。したがって、本実施形態では、信号ＤｐがＨレベルである場合に、光ディスク２００の単位面積当たりにおけるビームＦの照射熱量は、半径位置によらずほぼ一定となり、このため、信号ＤｐがＨレベルのときに、感熱層２０５が変色する度合いも、半径位置によらずほぼ一定となる。
なお、ビームＦの照射に対して感熱層２０５の昇温が追いつかない現象や余熱による間延び現象などによって変色部分の形状が変形するのを防止するために、描画信号作成器１６２は、信号Ｄｐを、書込信号作成器１４２におけるストラテジと同様に補正しても良い。
【００１６】
次に、光ディスク装置１００の動作について、ＴＡＯ（Ｔｒａｃｋ  Ａｔ  Ｏｎｃｅ）方式によるデータ記録を前提として説明する。したがって、光ディスク２００には、記録データとともに、そのデータの記録開始位置および記録終了位置を示す管理情報も記録される。
図６は、光ディスク装置１００におけるデータ記録および画像形成の動作を示すフローチャートである。まず、光ディスク２００がセットされると、主制御部１１０は、スピンドル制御回路１２６に回転速度の目標値を供給する（ステップＳａ１１）。これにより、スピンドルモータ１２２は回転を開始するとともに、当該目標値となるようにフィードバック制御される。続いて、主制御部１１０は、光ディスク２００が回転している状態において、ピックアップ制御回路１３６に対し次のことを指示する。すなわち、主制御部１１０は、ピックアップ制御回路１３６に対し、フォーカスアクチュエータを駆動して対物レンズを上下させること、および、対物レンズを上下させた場合に、フォーカスエラー信号にゼロ点を含むＳ字状の波形（いわゆるＳカーブ）が現れたか否かを判別させることを、それぞれ指示する（ステップＳａ１２）。
【００１７】
主制御部１１０は、当該波形が現れなかった場合、記録面が光ピックアップ１２０に対向するように光ディスク２００がセットされておらず、すなわち、レーベル面が光ピックアップ１２０に対向するようにセットされている、と判断して当該光ディスクをイジェクトし（ステップＳａ２３）、動作を終了させる。
一方、主制御部１１０は、当該波形が現れた場合、記録面が光ピックアップ１２０に対向するように光ディスク２００がセットされていると判断する。このため、主制御部１１０は、ピックアップ制御回路１３６に対し当該波形がゼロ点となったときの位置に対物レンズを移動させるように指示する。フォーカスエラー信号におけるＳ字状波形のゼロ点では、ビームＥが記録層２０２に焦点を結ぶからである。したがって、この指示以降、ピックアップ制御回路１３６によってフォーカス制御、および、この制御を前提とするトラッキング制御が開始される。
【００１８】
さらに、主制御部１１０は、グルーブの蛇行状態からアドレス情報をピックアップ制御回路１３６が読み取ることができた否かを判別する（ステップＳａ１３）。読み取ることができない場合、以下の処理を続行することができないので、主制御部１１０は、当該光ディスク２００をイジェクトさせて（ステップＳａ２３）、動作を終了させる。
一方、主制御部１１０は、アドレス情報を読み取ることができた場合、さらにメディア情報を読み取って、当該光ディスク２００がレーベル面に感熱層２０５を備えたディスクであるか否かを判別する（ステップＳａ１４）。ここで、メディア情報とは、アドレス情報と同様にして記録された情報であって、光ディスク２００についての種類や、特性、感熱層２０５の有無など、ディスクの固有情報である。セットされた光ディスク２００がレーベル面に感熱層２０５を備えていない場合、照射ユニット１７０によるビームＦの照射は無意味であるので、主制御部１１０は、画像データの転送を禁止し、記録データのみを転送して、データの記録だけを実行する（ステップＳａ２２）。当該光ディスク２００がレーベル面に感熱層２０５を備えている場合、主制御部１１０は、記録面側の光ピックアップ１２０を、ビームＥの照射点がアドレス情報の原点よりやや内側の地点となるように移動させ、当該地点からトラッキング制御を再開させる（ステップＳａ１５）。そして、主制御部１１０は、アドレス情報の原点（００：００：００）を検出すると、すなわち基準線の通過を検出すると、列カウンタのカウント結果に「１」をセットする（ステップＳａ１６）。これにより、光ディスク２００の再セット時であっても、光ディスク２００の極座標が絶対的に再現できる。
【００１９】
次に、主制御部１１０は、最後に記録されたデータに関する管理情報をデコーダ１３２から読み取って、そのときに記録された記録終了位置と、記録されたデータに含まれる情報であって、レーベル面における画像形成の終了半径位置を示す画像形成情報とを取得し、前者の記録終了位置からデータを追記する際の記録開始位置を求め、後者の画像形成情報から画像を追加形成する際の開始半径位置を求める（ステップＳａ１７）。
そして、主制御部１１０は、記録面側の光ピックアップ１２０を、ビームＥの照射点が追記の記録開始位置となるように送り制御する一方、レーベル面側の照射ユニット１７０を、ビームＦの照射点が開始半径位置となるように送り制御するとともに、この送りが完了したときに行カウンタのカウント結果に「１」をセットする（ステップＳａ１８）。なお、セットされた光ディスク２００がブランクディスクの場合には、管理情報が存在しないので、この場合には、主制御部１１０は、光ピックアップ１２０をデータ記録が可能な最内周位置に、照射ユニット１７０を画像形成が可能な最内周位置に、それぞれ送り制御する。
その後、主制御部１１０は、アドレス情報による時間経過に同期して（すなわち、ブロック符号化におけるフレームに同期して）、バッファ１４０から記録データを順次読み出して書込信号作成器１４２に転送する一方、行カウンタおよび列カウンタの各カウント結果で特定されるドットの画像データを、１行１列、１行２列、…、１行ｎ列、２行１列、１行２列、…、２行ｎ列、…、ｍ行１列、ｍ行２列、…、ｍ行ｎ列という順番でバッファ１６０から読み出して、描画信号作成器１６２に転送する（ステップＳａ１９）。
また、主制御部１１０は、行カウンタのカウント結果を「１」だけインクリメントする毎に（すなわち、光ディスク２００が１回転する毎に）、照射ユニット１７０が１００μｍだけ外側に移動するように、ステッピングモータ１７８を制御する。
【００２０】
この転送により、書込信号作成器１４２は、読み出された記録データを、ＥＦＭ変調するとともにブロック符号化してＥＦＭデータとしてレーザドライバ１３０に供給し、レーザドライバ１３０は、ＥＦＭデータのＮＲＺ信号から駆動電流Ｌ２を生成して光ピックアップ１２０に供給するので、光ディスク２００の記録面には、データが記録されることとなる。
一方、描画信号作成器１６２は、読み出された画像データから信号Ｄｐを生成し、パワー制御回路１６４は、信号ＤｐがＨレベルである場合に、ビームＦの照射点が光ディスク２００の外周側に位置するほど、駆動電流Ｌ２を大きくなるように補正して照射ユニット１７０に供給するので、光ディスクのレーベル面には、極座標で規定されたドットが順番に形成されることとなる。
【００２１】
そして、主制御部１１０は、記録データおよび画像データの双方について、転送が完了したか否かを判別し（ステップＳａ２０）、完了するまで、データ転送を継続する。双方のデータについて転送が完了したならば、すなわち、今回追記すべきデータのすべてをバッファ１４０から読み出し、かつ、ｍ行ｎ列までの画像データをバッファ１６０から読み出したならば、今回の記録に係る管理情報を記録するとともに、画像形成情報として、今回、画像を追加形成した際の終了半径位置の情報を、専用のファイルとして記録データに付加して記録する（ステップＳａ２１）。この画像形成情報は、次回の画像形成時に、最後に記録されたデータの管理情報とともに読み出されることになる。
なお、画像形成情報としては、終了半径位置のほかに、開始半径位置、開始角度、終了角度、画像サイズ、条件（照射レベル、回転数）など情報を加えて、次回、これらの情報を用いて、画像を形成しても良い。
【００２２】
次に、このＴＡＯ方式によって、光ディスク２００にどのようにデータ記録および画像形成されるかについて説明する。図７は、光ディスク２００の記録面において記録されたデータとレーベル面に形成された画像との関係を示す平面図である。この図では、記録面の領域Ｒ１にデータが記録されている一方、レーベル面の領域Ｌ１に「ＴＩＴＬＥ」の文字が画像として形成されていた場合に、記録面の領域Ｒ２にデータが追記され、レーベル面の領域Ｌ２に「ＡＢＣ」の文字を画像として追加形成された状態を示している。領域Ｒ１に記録されたデータには、データの記録終了位置Ｊ１を示す管理情報、および、レーベル面に形成された画像の終了半径位置Ｋ１を示す画像形成情報が含まれるので、これらの情報からデータを追記する領域Ｒ２の記録開始位置および画像を追加形成する領域Ｌ２の開始半径位置がそれぞれ決定される。
なお、領域Ｒ２にデータが追記される一方、領域Ｌ２に「ＡＢＣ」が画像として追加形成された場合に、領域Ｒ２に追記されたデータには、当該領域Ｒ２に記録されたデータの記録終了位置Ｊ２を示す情報が管理情報として、また、レーベル面に形成された画像の終了半径位置Ｋ２を示す情報が画像形成情報として記録されて、次回のデータ追記または画像の追加形成時に用いられることとなる。
【００２３】
この実施形態によれば、レーベル面に画像を形成するための照射ユニット１７０は、光ピックアップ１２０とは独立に送り制御されるので、データ記録の動作を妨げずに、画像を迅速に形成することが可能となる。照射ユニット１７０が光ピックアップ１２０とは独立して送り制御される、ということは、データの再生時においても画像形成をすることが可能であることを意味する。さらに、照射ユニット１７０は、平行光を照射するのみであるので、フォーカスアクチュエータが不要であり、さらに、ステッピングモータ１７８によって送られるのみであるので、トラッキングアクチュエータも不要である。このため、照射ユニット１７０は、光ピックアップ１２０と比較して、その構成がきわめて簡略化される。
【００２４】
次に、実施形態に係る光ディスク装置１００の変形・応用について説明する。実施形態では、レーベル面に内周から外周に向かって画像を追加するように形成したが、これとは反対に、外周から内周に向かって画像を追加しても良い。また、図８に示されるように、画像の形成領域を放射状に分割させるとともに、当該分割領域に対し順番に画像を追加形成しても良い。このような分割領域に画像を追加する形成する場合には、最後に形成した領域に関する情報（例えば基準線に対する角度情報）を画像形成情報としてデータ記録する一方、画像を追加形成する場合には、当該画像形成情報を読み取って画像の未形成領域を検出する構成とすれば良い。
【００２５】
ビームＦは、感熱層２０５を変色させるために用いるので、コヒーレントである必要はない。このため、半導体レーザではなく、単なる発光ダイオードを用いても良い。
また、半導体レーザの出射光は拡散しているので、この出射光を平行光化するためには、コリメータレンズを半導体レーザの出射端の直近に配置する必要があるが、これは、製造上困難といえる。そこで、半導体レーザと同一の製造プロセスによって回折格子を形成することによって、その半導体レーザの出射光を平行光化させれば良い。
ビームＦのスポット径を１００μｍとした場合に感熱層２０５を変色させるためには、照射ユニット１７０の半導体レーザとして大パワー型が要求される。このため、半導体レーザを適度に放熱させる構成が必要となる場合がある。この場合、図９に示されるように、光ディスク装置１００のメイン基板１８１に大パワー型の半導体レーザ１８２を実装するとともに、当該半導体レーザ１８２の出射光を光ファイバー１８３によって照射ユニット１７０まで伝達する構成とすれば良い。このような構成を採用すれば、半導体レーザ１８２は、メイン基板１８１自体（あるいは別途設けられるフィン）によって放熱されるし、また、照射ユニット１７０自体のさらなる小型化・軽量化を図ることもできる。同様に、ファイバーレーザを用いても良い。
また、ビームＦは、シングルビームに限られず、マルチビームとしても良い。マルチビームを、光ディスクの回転（周）方向に配列させれば、回転速度（線速度）を高めることができるし、半径方向に配列させれば、感熱層２０５をより多面積で変色させることが容易となる。さらに、複数のレーザにより発振させたレーザ光を合成して、シングルビーム化しても良い。
【００２６】
実施形態では、光ピックアップ１２０と照射ユニット１７０とを互いに独立して送り制御する構成としたが、両者を連動させる構成としても良い。例えば、図１０に示されるように、照射ユニット１７０を、径方向に配置させたレール１８４に対して摺動自在とするとともに、当該照射ユニット１７０と光ピックアップ１２０とをフレーム１８５で連結することによって、照射ユニット１７０が光ピックアップ１２０に同一方向に連動して送り制御される構成しても良い。
また、図１１に示されるように、光ピックアップ１２０と照射ユニット１７０とを、Ｕ字状のパイプ１８６を貫通するワイヤ１８７によって接続する構成としても良い。この構成では、照射ユニット１７０が光ピックアップ１２０とは互いに反対方向に送り制御されることになる。図１０に示した構成では、フレーム１８５の移動を妨げないように周辺部分を設計する必要があるが、図１１に示した構成では、その必要がないので、設計の自由度を向上させることができる。
【００２７】
上述した実施形態では、記録データをバッファ１４０に、画像データをバッファ１６０にそれぞれ独立した状態で格納するとともに、それぞれ独立して読み出す構成とした。ここで、ＣＤ（ＣＤ−Ｒ）では、ブロック符号化（ＥＦＭフレーム化）の際に、記録データにサブコード（データ）が付加されるので、このサブコードの一部として画像データを埋め込む構成としても良い。なお、サブコードは、Ｐ、Ｑ、Ｒ、Ｓ、Ｔ、Ｕ、Ｖ、Ｗデータの８つに大別され、このうち、Ｐ、Ｑデータは、頭出しや索引等のために用いられるので、ここでは、Ｒ〜Ｗデータを画像データの埋め込み用として用いることにする。
【００２８】
図１２は、サブコードのＲ〜Ｗデータを画像データとして用いる場合の要部構成を示すブロック図であり、図１における領域１８０に置き換わる部分に相当している。この図において、バッファ１９１は、ホストコンピュータから供給された記録データと画像データを含むサブコードとを一時的に格納する。ＣＩＲＣ（Ｃｒｏｓｓ  Ｉｎｔｅｒｌｅａｖｅ  Ｒｅｅｄ−Ｓｏｌｏｍｏｎ  Ｃｏｄｅ）処理部１９２は、バッファ１９１から記録データを信号ｘＡＤに同期して読み出し、誤り訂正符号を付加するとともにインターリーブする。一方、サブコード処理部１９３は、サブコードのうち、Ｐ、Ｑデータを、アドレス情報により示される時間をさらに細分化した信号ｘＡＤに同期して（すなわち、ＣＩＲＣ処理部１９２における誤り訂正符号の付加およびインターリーブに同期して）読み出す一方、画像データとしてのＲ〜Ｗデータを逓倍信号ｘＦＧに同期して（すなわち、光ディスク２００の回転に同期して）読み出す。バッファ１９１の読出基準が異なる理由は、光ディスク２００が角速度一定で回転する場合、画像データとしてのＲ〜Ｗデータについては、その回転に同期して転送されれば良いが、記録データおよびＰ、Ｑデータについては、ビームＥの半径位置が外周に向かうにつれて線速度が高くなるので、アドレス情報で示される時間にて転送する必要があるからである。
図１３は、この転送動作を示すタイミングチャートであり、サブコードのうち、Ｐ、Ｑデータは、信号ｘＡＴに同期して転送されるが、Ｒ〜Ｗデータは、Ｐ、Ｑデータとは無関係に、光ディスク２００の回転状態を示す逓倍信号ｘＦＧに同期して転送される状態を示している。なお、Ｐ、Ｑデータの転送間隔は、ビームＥの半径位置が外周に向かうにつれて線速度が高くなるにつれて徐々に狭まるが、Ｒ〜Ｗデータの転送間隔は半径位置によらずに一定である。
エンコーダ１９４は、サブコードおよび記録データを予め定められたフォーマット（図示省略）にてブロック符号化し、ＥＦＭデータとして書込信号作成器１４２（図１参照）に供給する。画像データ分離部１９５は、ＥＦＭデータからサブコードを分離するとともに、当該サブコードから、さらにＲ〜Ｗデータを抽出し、画像データとして描画信号作成器１６２に供給する。
このような構成によって、画像データは、光ディスク装置１００内においてサブコードに埋め込まれて転送されることとなる。
【００２９】
実施形態では、変色部分の面積比率により階調を表現するために、画像データで指定された濃度に応じて信号Ｄｐのパルス幅を規定する構成としたが、画像データで指定された濃度に応じて（ビームＦの半径位置を考慮しつつ）駆動電流Ｌ２の大きさを調整する構成としても良いし、パルス幅および駆動電流Ｌ２の双方を調整する構成としても良い。
また、単に光ディスク２００が１回転する毎に、ビームＦの位置を半径方向に１行分だけ送る構成であると、送りの精度によっては、形成された画像にムラが生じる場合がある。そこで、ビームＦを半径方向に微振動させながら画像を形成すると、ムラを目立たなくすることができると考えられる。また、光ディスク２００について、レーベル面にも、記録面におけるグルーブ２０２Ｇと同様な案内溝を設けるとともに、ビームＦが当該案内溝をトレースするように制御する構成としても良い。
実施形態では、ビームＦのスポット径と極座標における１行分の距離とを一致させたが、ビームＦのスポット径を１行分の距離を対して例えば半分に狭めて、１行分のドット列を形成するに際して、２周に分けて送り制御する構成としても良い。同様に、３周以上に分けて送り制御する構成としても良い。
【００３０】
一方、実施形態では、角速度一定のＣＡＶ方式にてデータ記録および画像形成をするとしたが、線速度一定のＣＬＶ（Ｃｏｎｓｔａｎｔ  Ｌｉｎｅａｒ  Ｖｅｌｏｃｉｔｙ）方式としても良い。ただし、ここでいうＣＬＶ方式とは、ビームＥの照射点での線速度が一定であることをいう。したがって、図１、図９または図１１の構成では、ビームＦの照射点でみたときの線速度は一定とはならない点に留意する必要がある。これらの構成においてＣＬＶ方式とする場合には、パワー制御回路１６４が、ビームＦの半径位置および光ディスク２００の回転速度を考慮して駆動電流Ｌ２の大きさを決定するようにすれば良い。なお、ここでいう考慮とは、ビームＦの照射点が光ディスク２００の外周側に位置するほど、さらに、回転速度が高いほど、駆動電流Ｌ２を大きくして、単位面積当たりの熱量を略一定とすることをいう。
【００３１】
実施形態においては、画像データがホストコンピュータから供給される構成としたが、次のように光ディスク自身から読み取る構成としても良い。すなわち、第１に、元の光ディスクの記録面には記録データに画像データを付加して記録する一方、レーベル面には当該画像データに基づく画像を形成した後に、第２に、当該元の光ディスクから記録データおよび画像データを読み取って、別の光ディスクの記録面に記録データおよび画像データを記録する一方、当該別の光ディスクのレーベル面には当該画像データに基づく画像を形成すれば、記録データのみならず、レーベル面に画像が形成された光ディスクを複製することができる。
実施形態において、照射ユニット１７０は、ビームＦを照射するのみであったが、ビームスプリッタを別途設けて、出射光と戻り光とを分離する構成としても良い。この戻り光については、光ピックアップ１２０と同様にパワー制御に用いても良いし、光ディスク２００に形成された画像のスキャニングに用いても良い。なお、スキャンした画像については、別の光ディスクにコピーしても良い。
【００３２】
【発明の効果】
以上説明したように本発明によれば、装置のコストアップを防止するとともに、比較的時間を要することなく光ディスクに画像を形成することが可能となる。
【図面の簡単な説明】
【図１】本発明の実施形態に係る光ディスク装置の構成を示す図である。
【図２】画像形成の対象となる光ディスクの構成を示す断面図である。
【図３】光ディスクの基準線を示す図である。
【図４】光ディスクの極座標を示す図である。
【図５】光ディスク装置における各種動作を説明するためのタイミングチャートである。
【図６】光ディスク装置の動作を示すフローチャートである。
【図７】光ディスクの記録面およびレーベル面を示す図である。
【図８】光ディスクの記録面およびレーベル面を示す図である。
【図９】照射ユニットの変形例を示す図である。
【図１０】照射ユニットの変形例を示す図である。
【図１１】照射ユニットの変形例を示す図である。
【図１２】光ディスク装置の変形例に係る要部構成を示す図である。
【図１３】同構成において記録データと画像データとの転送を示すタイミングチャートである。
【符号の説明】
１００…光ディスク装置、１１０…主制御部、１６４…パワー制御回路（強度制御手段）、１７０…照射ユニット（照射手段）、１７８…ステッピングモータ（移動手段）、２００…光ディスク
【図１】
2005050409.tif 000003
【図２】
2005050409.tif 000004
【図３】
2005050409.tif 000005
【図４】
2005050409.tif 000006
【図５】
2005050409.tif 000007
【図６】
2005050409.tif 000008
【図７】
2005050409.tif 000009
【図８】
2005050409.tif 000010
【図９】
2005050409.tif 000011
【図１０】
2005050409.tif 000012
【図１１】
2005050409.tif 000013
【図１２】
2005050409.tif 000014
【図１３】
2005050409.tif 000015